(57)【要約】【課題】ベルトの着用を利用者に強いることを抑える防犯ブザーを提供する。【解決手段】コード３に取り付けられ該コード３の通し孔へ該コード３が引き込まれることを止めるコードロック１と、前記コード３に固定されブザー音を発するブザーユニット２とを備え、さらにブザーユニット２をコードロック１に対して着脱する着脱機構を備える。そして、ブザーユニット２を駆動する駆動部を有し、該駆動部は、コード３の先端部３１に係合する駆動スイッチ２２を有し、ブザー音の発生条件に、コード３の先端部３１と駆動スイッチ２２との係合の解除を有する。【選択図】図１
2013077199.tif 000002
【特許請求の範囲】
【請求項１】
紐状体に取り付けられ該紐状体の通し孔へ該紐状体が引き込まれることを止める紐止部と、
前記紐状体に固定されブザー音を発するブザー部と、を備える
ことを特徴とする防犯ブザー。
【請求項２】
請求項１に記載の防犯ブザーにおいて、
前記ブザー部を前記紐止部に対して着脱する着脱機構を備える
ことを特徴とする防犯ブザー。
【請求項３】
請求項１又は２に記載の防犯ブザーにおいて、
前記ブザー部を駆動する駆動部を有し、
前記駆動部は、
前記紐状体の先端に係合する係合部を有し、
前記ブザー音の発生条件に、前記紐状体の先端と前記係合部との係合の解除を有する
ことを特徴とする防犯ブザー。
【請求項４】
請求項３に記載の防犯ブザーにおいて、
前記駆動部は、
前記ブザー部に対する電源の供給と遮断とを切り替える第１スイッチと、
前記第１スイッチによる電源供給の有効と無効とを切り替える第２スイッチとを有し、
前記第２スイッチは、
前記紐状体の先端と係合する前記係合部を有し、
前記紐状体の先端と前記係合部との係合で前記電源の供給を無効とし、
前記紐状体の先端と前記係合部との非係合で前記電源の供給を有効とする
ことを特徴とする防犯ブザー。
【請求項５】
請求項３に記載の防犯ブザーにおいて、
前記駆動部は、
前記ブザー部に対する電源の供給と遮断とを切り替える第１スイッチと、
前記第１スイッチによる電源供給の有効と無効とを切り替える第２スイッチとを有し、
前記第１スイッチは、
前記紐状体の先端と係合する前記係合部を有し、
前記紐状体の先端と前記係合部との係合で前記ブザー部に対して前記電源を遮断し、
前記紐状体の先端と前記係合部との非係合で前記ブザー部に対して前記電源を供給する
ことを特徴とする防犯ブザー。
【発明の詳細な説明】
【技術分野】
【０００１】
本発明は、利用者に携帯される防犯ブザーに関する。
【背景技術】
【０００２】
従来、特許文献１に記載のように、アラーム装置が備えられたベルト用のバックルが考案されている。特許文献１に記載のバックルでは、ベルト用のバックルの表面を構成するカバー部がバックル本体に対して取り外し可能に保持され、該カバー部にアラーム装置が設けられている。
【先行技術文献】
【特許文献】
【０００３】
【特許文献１】実用新案登録第３０９７３２６号公報
【発明の概要】
【発明が解決しようとする課題】
【０００４】
ところで、ジョギング等の運動時には、通常、動きやすい服装が選択されるため、上述のようなベルトが着用されないことが少なくない。一方、アラーム装置の一つである防犯ブザーに対しては、上述したジョギング時等、ベルトが着用され難い場合であってもそれの携帯が望まれている。
【０００５】
本発明は、こうした実情に鑑みてなされたものであり、その目的は、ベルトの着用を利用者に強いることを抑える防犯ブザーを提供することにある。
【課題を解決するための手段】
【０００６】
以下、上記目的を達成するための手段及びその作用効果について説明する。
本発明における防犯ブザーの一態様は、紐状体に取り付けられ該紐状体の通し孔へ該紐状体が引き込まれることを止める紐止部と、前記紐状体に固定されブザー音を発するブザー部と、を備える。
【０００７】
上述したジョギング時に着用される衣類等、ベルトが用いられない衣類では、衣類のかたちを利用者の体形に合わせる紐状体が、衣類の通し穴に通される状態で用いられる。そして、このような紐状体には、通常、該紐状体の通し孔に該紐状体が引き込まれることを止めるコードストッパーやコードロック等の紐止部が取り付けられる。ここで、上述した態様によれば、紐状体に取り付けられる紐止部にブザー部が設けられるため、防犯ブザーが携帯されるにあたり、防犯ブザーの取り付けられたベルトの装着を利用者に別途強いることがない。
【０００８】
本発明における防犯ブザーの一態様は、上述した態様において、前記ブザー部を前記紐止部に対して着脱する着脱機構を備える。
上記の態様によれば、着脱機構によってブザー部が紐止部から離される。このため、紐止部を有した衣類等が洗濯されるときにブザー部が該衣類等から離されるため、ブザー部が水に浸かることを回避することができる。
【０００９】
本発明における防犯ブザーの一態様は、上述した態様の防犯ブザーにおいて、前記ブザー部を駆動する駆動部を有し、前記駆動部は、前記紐状体の先端に係合する係合部を有し、前記ブザー音の発生条件に、前記紐状体の先端と前記係合部との係合の解除を有する。
【００１０】
上記の態様によれば、駆動部における係合部が紐状体の先端に係合することでブザー部の駆動が無効化される。このため、紐状体の先端が駆動部における操作部を兼ねているため、このような操作部を別部材とする態様と比べ、防犯ブザーにおける部材の点数が増えることを抑えることが可能でもある。
【００１１】
本発明における防犯ブザーの一態様は、上記の態様において、前記駆動部が、前記ブザー部に対する電源の供給と遮断とを切り替える第１スイッチと、前記第１スイッチによる電源供給の有効と無効とを切り替える第２スイッチとを有し、前記第２スイッチが、前記紐状体の先端と係合する前記係合部を有し、前記紐状体の先端と前記係合部との係合で前記電源の供給を無効とし、前記紐状体の先端と前記係合部との非係合で前記電源の供給を有効とする。
【００１２】
上記の態様によれば、第２スイッチの係合部が紐状体から外されることで第１スイッチによるブザー部の駆動が可能になる。一方、第２スイッチの係合部と紐状体とが係合している限りは、利用者の意図しない外力により第１スイッチが操作されても、こうした操作によりブザー部が駆動されることはない。また、紐状体が取り付けられた衣類等の洗濯時等、ブザー部が紐状体から外される場合であっても、第１スイッチが操作されない限りは、こうしたブザー部の取り外しによりブザー部が駆動されることもない。そして、紐状体の先端が第２スイッチの操作部を兼ねているため、第２スイッチを操作するための操作部を別部材とする態様と比べ、上記効果を得るために部材の点数が増えることを抑えることが可能でもある。
【００１３】
本発明における防犯ブザーの一態様は、上記の態様において、前記駆動部が、前記ブザー部に対する電源の供給と遮断とを切り替える第１スイッチと、前記第１スイッチによる電源供給の有効と無効とを切り替える第２スイッチとを有し、前記第１スイッチは、前記紐状体の先端と係合する前記係合部を有し、前記紐状体の先端と前記係合部との係合で前記ブザー部に対して前記電源を遮断し、前記紐状体の先端と前記係合部との非係合で前記ブザー部に対して前記電源を供給する。
【００１４】
上記の態様によれば、第２スイッチによりブザー部への電源供給が有効化され、且つ第１スイッチの係合部が紐状体から外されることによって、ブザー部が駆動される。すなわち、第１スイッチの係合部が紐状体から外されることと、第２スイッチの操作との両方が行われることでブザー部が駆動されるため、ブザー部における誤った駆動をより確実に抑えることが可能になる。一方、第２スイッチにより電源供給が無効化されている限りは、衣類の洗濯時等、第１スイッチの係合部が紐状体から取り外されても、ブザー部が駆動されることはない。そして、紐状体の先端が第１スイッチの操作部を兼ねているため、第１スイッチを操作するための操作部を別部材とする態様と比べ、上記効果を得るために部材の点数が増えることを抑えることが可能でもある。
【発明の効果】
【００１５】
本発明によれば、ベルトや鞄等の装身具の装着を利用者に強いることを抑える防犯ブザーを提供することができる。
【図面の簡単な説明】
【００１６】
【図１】本発明における防犯ブザーの第１の実施形態の断面構造を示す断面図。
【図２】本発明における防犯ブザーの第２の実施形態の断面構造を示す断面図。
【図３】本発明における防犯ブザーの第３の実施形態の断面構造を示す断面図。
【図４】本発明における防犯ブザーの第４の実施形態の断面構造を示す断面図。
【発明を実施するための形態】
【００１７】
（第１の実施形態）
以下、本発明の防犯ブザーにおける紐止部をコードロックに具体化した第１の実施形態について図１を参照して説明する。
【００１８】
図１に示されるように、防犯ブザーにおける紐止部としてのコードロック１は、紐状体であるコード３が該コード３の通し孔から抜け落ちること、また該コード３の通し孔に引き込まれること、これらを防止する。コードロック１の下端部１６には、ブザー部を有するブザーユニット２が着脱可能に嵌着されている。コードロック１によってロックされたコード３の先端部３１は、ブザーユニット２に接続されている。
【００１９】
コードロック１における有底円筒状のハウジング１１には、該ハウジング１１における上部の側面に、互いに向かい合う一対の挿通孔１４がコード３の挿通可能な大きさで貫通している。ハウジング１１において挿通孔１４が形成された部分の内径は、該部分以外の他の部分よりも若干小さく形成されている。このハウジング１１の内側には、該ハウジング１１の内径と同径の円柱状をなすロック部材１２が、該ハウジング１１における上側の開口を塞ぐように内挿されている。
【００２０】
ロック部材１２における軸方向の長さは、同軸方向におけるハウジング１１の略半分の大きさである。ロック部材１２の側面のうち上記挿通孔１４と互いに向い合う部位には、一対の挿通孔１４と連通するロック挿通孔１５がコード３の挿通可能な大きさで貫通している。このロック部材１２の底面とハウジング１１における内側の底面との間には、ロック部材１２を上方へ付勢する付勢ばね１３が挟入されている。
【００２１】
こうした構成からなるコードロック１に対して、コード３は、ハウジング１１における一方の挿通孔１４、ロック部材１２のロック挿通孔１５、ハウジング１１における他方の挿通孔１４、この順に各孔を通過してハウジング１１に挿通されている。そして、付勢ばね１３の付勢力に抗した外力がロック部材１２に加えられていないとき、付勢ばね１３の付勢力によってロック挿通孔１５の下面と一対の挿通孔１４の上端とによってコード３が挟み込まれる。これにより、コードロック１に対してコード３が抜き差し不能となる、すなわちロックされる。これに対して、付勢ばね１３の付勢力に抗した外力がロック部材１２に加えられるとき、ロック挿通孔１５の下面と一対の挿通孔１４の上端との間が広げられてこれらによるコード３の挟み込みが解除される。これにより、コードロック１に対してコード３が抜き差し可能となる、すなわちロックが解除される。
【００２２】
ブザーユニット２は、円柱状であって、コードロック１の下端部に装着されている。ブザーユニット２の上面には、コードロック１の下端部１６と係合する一対の係合爪２１が形成されている。一方、ハウジング１１の下端部１６には、ブザーユニット２に形成された一対の係合爪２１と係合する被係合溝１７が形成されている。そして、係合爪２１が被係合溝１７に挿入されると、被係合溝１７の溝側面と係合爪２１とが係合して、コードロック１に対するブザーユニット２の移動が係止される。これに対して、ブザーユニット２がコードロック１から引っ張られると、係合爪２１が被係合溝１７から外れ、ブザーユニット２がコードロック１から取り外される。なお、これら係合爪２１と被係合溝１７とによって着脱機構が構成されている。
【００２３】
ブザーユニット２には、ブザー音を発するブザー部が内蔵され、該ブザー部を駆動する駆動部としての駆動スイッチ２２が該ブザーユニット２の下端に搭載されている。この駆動スイッチ２２には、コード３の先端部３１に取り付けられたピン３２と係合する係合部が凹設されている。そして、駆動スイッチ２２の係合部からピン３２が抜き出されると、駆動スイッチ２２がオン状態となり、ブザー部がブザー音を発する。これに対して、駆動スイッチ２２の係合部にピン３２が挿着されると、駆動スイッチ２２がオフ状態となり、ブザー部がブザー音を停止させる。
【００２４】
次に、上記構成からなる防犯ブザーの作用について図１を参照して説明する。
図１に示されるように、コードロック１は、ロック部材１２が上部から押されることでコード３に対するロックが解除され、コード３の長さを調節可能となる。そして、ロック部材１２に対する押し操作を解除すると、付勢ばね１３の付勢力によってロック部材１２がハウジング１１の上端側へ付勢されて、コード３がロックされる。
【００２５】
緊急時等に防犯ブザーが使用される際には、コード３の先端部３１が駆動スイッチ２２から引っ張られることによって、ピン３２が駆動スイッチ２２から外れ、駆動スイッチ２２がオン状態となる。これにより、ブザー部がブザー音を発する。そして、ブザー音が不要になった際には、ピン３２が駆動スイッチ２２に挿着されることによって、駆動スイッチ２２がオフ状態になる。これにより、ブザー部にてブザー音が停止される。
【００２６】
ここで、上述したジョギング時に着用される衣類等、ベルトが用いられない衣類では、衣類のかたちを利用者の体形に合わせる上述のようなコード３が、衣類の通し穴に通される状態で用いられる。そして、このようなコード３には、通常、該コード３の通し孔に該コード３が引き込まれることを止めるため、上述のようなコードロック１が取り付けられる。この際、上述のような防犯ブザーであれば、コードロック１の下端部１６にブザーユニット２が嵌着され、コード３の先端部３１に取り付けられたピン３２がブザーユニット２の駆動スイッチ２２から外れることでブザー音が発せられる。そのため、服装の一部であるコード３を止めるコードロック１とともにブザーユニット２が携帯されることになるため、防犯ブザーの取り付けられたベルトを別途装着すること、さらには防犯ブザーを別途ぶら下げること、これらを利用者に強いることがない。
【００２７】
以上、上述した第１の実施形態によれば、以下の効果を奏することができる。
（１）コード３を止めるコードロック１にブザーユニット２が固定されるため、防犯ブザーの携帯に際し、防犯ブザーの取り付けられたベルトの装着を利用者に強いることがない。
【００２８】
（２）係合爪２１と被係合溝１７との係合及び非係合によって、コードロック１に対しブザーユニット２が着脱可能になる。このため、コードロック１が設けられた鞄やバックパック等の装身具や衣類等が洗濯されるときに、ブザーユニット２がコードロック１から取り外されることで、防犯ブザーの浸水を抑えることが可能にもなる。
【００２９】
（３）コード３の先端部３１に取り付けられたピン３２が駆動スイッチ２２に挿着されることでブザー音が停止され、このピン３２が駆動スイッチ２２から外されることでブザー音が発せられる。このため、コード３の操作という簡単な操作でブザー音を発せさせることが可能にもなる。また、コード３の先端部３１が駆動スイッチ２２における操作部を兼ねているため、このような操作部を別部材とする態様と比べ、防犯ブザーにおける部材の点数が増えることを抑えることが可能でもある。
【００３０】
（第２の実施形態）
以下、本発明の防犯ブザーをコードロックに具体化した第２の実施形態について、図２を参照して説明する。第２の実施形態の防犯ブザーは、コードロックからブザーユニットが取り外されることでブザー音が発せられる点、コードロックからのブザーユニットの取り外しとブザーユニットにおけるスイッチの操作とを条件にブザー音が発せられる点が、上記第１の実施形態と異なっている。以下、第１の実施形態との相違点を中心に説明する。なお、第２の実施形態のコードロックは、図１に示す第１の実施形態のコードロックとほぼ同様の構成を備えている。
【００３１】
図２に示されるように、ブザーユニット２には、ブザー部に対する電源の供給と遮断とを切り替える第１スイッチ２２ａが上端側に設けられている。一方、ハウジング１１の下端部１６には、第１スイッチ２２ａが有する係合部と互いに向い合う位置にピン１８が突設されている。そして、ブザーユニット２がハウジング１１に取り付けられた状態では、第１スイッチ２２ａの係合部にピン１８が挿着されている。
【００３２】
ブザーユニット２の側面には、第１スイッチ２２ａによる電源供給の有効と無効とを切り替える第２スイッチ２２ｂが設けられている。ブザーユニット２では、第２スイッチ２２ｂが一度押されると、第１スイッチ２２ａによる電源供給が有効化され、該第２スイッチ２２ｂが再度押されると、第１スイッチ２２ａによる電源供給が無効化される。そして、ブザーユニット２では、第２スイッチ２２ｂが押される度に、第１スイッチ２２ａによる電源供給の有効化と無効化とが繰り返される。
【００３３】
上述した構成からなる防犯ブザーでは、ブザー音が発せられる発生条件として下記２つの条件が共に成立することによりブザー音が発せられる。
［第１発生条件］第１スイッチ２２ａの係合部からピン１８が外されること。
［第２発生条件］第２スイッチ２２ｂの押下により電源供給が有効化されること。
【００３４】
また、同防犯ブザーでは、ブザー音が停止する停止条件として下記２つの条件のいずれか一方が成立することによりブザー音が停止する。
［第１停止条件］第１スイッチ２２ａの係合部にピン１８が挿着されること。
［第２停止条件］第２スイッチ２２ｂの押下により電源供給が無効化されること。
【００３５】
次に、上記構成からなる防犯ブザーの作用について図２を参照して説明する。
図２に示されるように、緊急時等に防犯ブザーが使用される際には、まず、ブザーユニット２がコードロック１から取り外され、これによりブザーユニット２の上端側に設けられた第１スイッチ２２ａからピン１８が離脱する。次いで、上記第１発生条件が満たされた状態から第２スイッチ２２ｂが押下されることで、第１スイッチ２２ａの電源供給が有効化される。これにより、上記第１発生条件及び第２発生条件の双方が満たされてブザー音が発せられる。一方、ブザー音が不要になった際には、ブザーユニット２がコードロック１に装着されて第１停止条件が満たされるか、または第２スイッチ２２ｂが再度押下されて第２停止条件が満たされることで、ブザー部への電源供給が遮断されてブザー音が停止される。
【００３６】
なお、コードロック１が設けられた鞄やバックパック等の装身具や衣類等が洗濯されるときには、ブザーユニット２がコードロック１から取り外されることで、ブザー部の浸水が抑えられる。このとき、ブザーユニット２がコードロック１から取り外されたとしても、第２スイッチ２２ｂが押下されなければブザー音が発せられない。そのため、ブザー音が不要に発せられることを抑えつつ、ブザーユニット２をコードロック１から取り外すことが可能になる。
【００３７】
以上、説明した実施形態によれば、第１の実施形態の（１）及び（２）の効果に加え、以下の効果を奏することができる。
（４）ブザー部に対する電源の供給と遮断とが、第１スイッチ２２ａの係合部にピン１８が挿着されるか否かによって切り替えられ、且つ第１スイッチ２２ａによる電源供給の有効と無効とが、第２スイッチ２２ｂの押下によって切り替えられる。そのため、第１スイッチ２２ａの係合部からピン１８が外れたとしても、第２スイッチ２２ｂの押下によって電源供給が有効化されない限り、ブザー音が発せられることはない。
【００３８】
例えば、ブザーユニット２がコードロック１から誤って取り外されたり、コードロック１が設けられた衣類や鞄やバックパック等の装身具が洗濯されるときにブザーユニット２がコードロック１から取り外されたりしても、ブザー音が発せられることはない。そのため、利用者の意図しないタイミングでブザー音が発せられることを抑えることが可能になる。
【００３９】
（５）一方、第２スイッチ２２ｂの押下により電源供給が有効化された状態であれば、第１スイッチ２２ａの係合部からピン１８が外されるだけで、ブザー音を発せさせることが可能になる。あるいは、第１スイッチ２２ａの係合部からピン１８が外された状態から第２スイッチ２２ｂが押下されるだけで、ブザー音を発せさせることが可能になる。そのため、ブザー音を発生させるための操作が複雑になることを抑えつつ、上記（４）に記載の効果を得ることが可能でもある。
【００４０】
（第３の実施形態）
以下、本発明の防犯ブザーにおける紐止部をコードストッパーに具体化した第３の実施形態について、図３を参照して説明する。第３の実施形態の防犯ブザーは、コードロックに代えてコードストッパーに防犯ブザーが設けられている点が上記第１の実施形態と異なっている。以下、第１の実施形態との相違点を中心に説明する。
【００４１】
図３に示されるように、防犯ブザーにおける紐止部としてのコードストッパー４は、紐状体であるコード７が該コード７の通し孔から抜け落ちること、また該コード７の通し孔に引き込まれること、これらを防止する。コードストッパー４の下端部４１には、ブザー部を有するブザーユニット６が着脱可能に嵌着されている。コードストッパー４が先端に取着されたコード７の先端部７１は、ブザーユニット６に接続されている。
【００４２】
コードストッパー４におけるハウジング４２は、コード７が挿入される上端から下端に向けて内径が小さくなる上下両端部が開口した円筒状をなしている。このハウジング４２の内部には、コード７が抜けることを係止するコード係止部材５１が挿着されている。
【００４３】
コード係止部材５１は、ハウジング４２の下端開口に装着される円柱状の基部５２を有している。この基部５２における上面の中央には、ばね状の緩衝部５３を介してＵ字状の挿入部５４が連結され、また、基部５２における上面の外周部には、該ハウジング４２の下端内壁に形成された第１被係合溝４３と係合する左右一対の第１係合爪５５が突設されている。挿入部５４の先端部には、ハウジング４２の上端内壁に形成された第２被係合溝４４と係合する第２係合爪５７が設けられている。また、挿入部５４の内壁には、該挿入部５４の内側に向けて係止突起５８が突設されている。そして、挿入部５４がハウジング４２内に挿入される際、挿入部５４の外形は、ハウジング４２の内壁の形状に従ってその内側へ湾曲し、これに伴い、係止突起５８がコード７に噛み込む。こうした係止突起５８の噛み込みによって、コード７が抜け止めされる。コードストッパー４に挿入されたコード７の先端部７１は、基部５２に形成された挿通孔からブザーユニット６側に露出している。
【００４４】
基部５２における下面の中央には、ブザーユニット６に形成された一対のユニット係合爪６１と係合するユニット被係合溝５６が凹設されている。
ブザーユニット６は、円柱状であって、コードストッパー４の下端部に装着されている。ブザーユニット６の上面には、上記ユニット被係合溝５６と係合する一対のユニット係合爪６１が形成されている。そして、ユニット係合爪６１がユニット被係合溝５６に挿入されると、ユニット係合爪６１とユニット被係合溝５６とが係合して、ブザーユニット６がコードストッパー４に装着される。一方、ブザーユニット６がコードストッパー４から引っ張られると、ユニット係合爪６１とユニット被係合溝５６との係合が解除され、ブザーユニット６がコードストッパー４から取り外される。なお、ユニット係合爪６１とユニット被係合溝５６とが、着脱手段を構成する。
【００４５】
ブザーユニット６には、ブザー音を発するブザー部が内蔵され、該ブザー部を駆動する駆動部としての駆動スイッチ６２が該ブザーユニット６の上端側に設けられている。この駆動スイッチ６２には、コード７の先端部７１に取り付けられたピン７２と係合する係合部が凹設されている。そして、駆動スイッチ６２の係合部からピン７２が抜き出されると、駆動スイッチ６２がオン状態となり、ブザー部がブザー音を発する。これに対して、駆動スイッチ６２の係合部にピン７２が挿着されると、駆動スイッチ６２がオフ状態となり、ブザー部がブザー音を停止させる。
【００４６】
次に、上記構成からなる防犯ブザーの作用について図３を参照して説明する。
図３に示されるように、緊急時等に防犯ブザーが使用される際には、ブザーユニット６がコードストッパー４から取り外されることによって、ピン７２が駆動スイッチ６２から外れ、駆動スイッチ６２オン状態になる。これにより、ブザー部がブザー音を発する。そして、ブザー音の鳴動が不要になった際には、ピン７２が駆動スイッチ６２に挿着されることによって、駆動スイッチ６２がオフ状態になる。これにより、ブザー部にてブザー音が停止される。
【００４７】
ここで、上記第１の実施形態と同じく、上述したジョギング時に着用される衣類等、ベルトが用いられない衣類では、衣類のかたちを利用者の体形に合わせる上述のようなコード７が、衣類の通し穴に通される状態で用いられる。そして、このようなコード７には、通常、該コード７の通し孔に該コード７が引き込まれることを止めるため、上述のようなコードストッパー４が取り付けられる。この際、上述のような防犯ブザーであれば、コードストッパー４の基部５２にブザーユニット６が嵌着され、コード７の先端部７１に取り付けられたピン７２がブザーユニット６の駆動スイッチ６２から外れることでブザー音が発せられる。そのため、服装の一部であるコード７を止めるコードストッパー４とともにブザーユニット２が携帯されることになるため、防犯ブザーの取り付けられたベルトを別途装着すること、さらには防犯ブザーを別途ぶら下げること、これらを利用者に強いることがない。
【００４８】
以上、上述した第３の実施形態によれば、以下の効果を奏することができる。
（１）コード７を止めるコードストッパー４にブザーユニット６が固定されるため、防犯ブザーの携帯に際し、防犯ブザーの取り付けられたベルトの装着を利用者に強いることがない。
【００４９】
（２）ユニット係合爪６１とユニット被係合溝５６との係合及び非係合によって、コードストッパー４に対しブザーユニット６が着脱可能になる。このため、コードストッパー４が設けられた鞄やバックパック等の装身具や衣類等が洗濯されるときに、ブザーユニット６がコードストッパー４から取り外されることで、防犯ブザーの浸水を抑えることが可能にもなる。
【００５０】
（３）コード７の先端部７１に取り付けられたピン７２が駆動スイッチ６２に挿着されることでブザー音が停止され、このピン７２が駆動スイッチ６２から外されることでブザー音が発せられる。このため、ブザーユニット６を介したコード７の操作という簡単な操作でブザー音を発せさせることが可能にもなる。また、コード７の先端部７１が駆動スイッチ６２における操作部を兼ねているため、このような操作部を別部材とする態様と比べ、防犯ブザーにおける部材の点数が増えることを抑えることが可能でもある。
【００５１】
（第４の実施形態）
以下、本発明の防犯ブザーをコードストッパーに具体化した第４の実施形態について、図４を参照して説明する。第４の実施形態の防犯ブザーは、コードストッパーからのブザーユニットが取り外されることでブザー音が発せられる点、コードストッパーからのブザーユニットの取り外しとブザーユニットにおけるスイッチの操作とを条件にブザー音が発せられる点が、上記第３の実施形態と異なっている。以下、第３の実施形態との相違点を中心に説明する。なお、第４の実施形態の防犯ブザーは、図３に示す第３の実施形態の防犯ブザーとほぼ同様の構成を備えている。
【００５２】
図４に示されるように、ブザーユニット６には、ブザー部に対する電源の供給と遮断とを切り替える第１スイッチ６２ａが上端側に設けられている。一方、ハウジング４２の下端部４１には、第１スイッチ６２ａが有する係合部と互いに向い合う位置にピン７２が突設されている。そして、ブザーユニット６がハウジング４２に取り付けられた状態では、第１スイッチ６２ａの係合部にピン７２が挿着されている。
【００５３】
ブザーユニット６の側面には、第１スイッチ６２ａによる電源供給の有効と無効とを切り替える第２スイッチ６２ｂが設けられている。ブザーユニット６では、第２スイッチ６２ｂが一度押されると、第１スイッチ６２ａによる電源供給が有効化され、該第２スイッチ６２ｂが再度押されると、第１スイッチ６２ａによる電源供給が無効化される。そして、ブザーユニット６では、第２スイッチ６２ｂが押される度に、第１スイッチ６２ａによる電源供給の有効化と無効化とが繰り返される。
【００５４】
上述した構成からなる防犯ブザーでは、第２の実施形態と同様に、ブザー音が発せられる発生条件として下記２つの条件が共に成立することによりブザー音が発せられる。
［第３発生条件］第１スイッチ６２ａの係合部からピン７２が外されること。
［第４発生条件］第２スイッチ６２ｂの押下により電源供給が有効化されること。
【００５５】
また、同防犯ブザーでは、第２の実施形態と同様に、ブザー音が停止する停止条件として下記２つの条件のいずれか一方が成立することによりブザー音が停止する。
［第３停止条件］第１スイッチ６２ａの係合部にピン７２が挿着されること。
［第４停止条件］第２スイッチ６２ｂの押下により電源供給が無効化されること。
【００５６】
次に、上記構成からなる防犯ブザーの作用について図４を参照して説明する。
図４に示されるように、緊急時等に防犯ブザーが使用される際には、まず、ブザーユニット６がコードストッパー４から取り外され、これによりブザーユニット６の上端側に設けられた第１スイッチ６２ａからピン７２が離脱する。次いで、上記第３発生条件が満たされた状態から第２スイッチ２２ｂが押下されることで、第１スイッチ６２ａの電源供給が有効化される。これにより、上記第３発生条件及び第４発生条件の双方が満たされてブザー音が発せられる。一方、ブザー音の鳴動が不要になった際には、ブザーユニット６がコードストッパー４に装着されて第３停止条件が満たされるか、または第２スイッチ６２ｂが再度押下されて第４停止条件が満たされることで、ブザー部への電源供給が遮断されてブザー音が停止される。
【００５７】
なお、コードストッパー４が設けられた鞄やバックパック等の装身具や衣類等を洗濯されるときには、ブザーユニット６がコードストッパー４から取り外されることで、ブザー部の浸水が抑えられる。このとき、ブザーユニット６がコードストッパー４から取り外したとしても、第２スイッチ２２ｂが押下されなければブザー音が発せられない。そのため、ブザー音が不要に発せられることを抑えつつ、ブザーユニット２をコードストッパー４から取り外すことが可能になる。
【００５８】
以上、説明した実施形態によれば、第３の実施形態の（１）及び（２）の効果に加え、以下の効果を奏することができる。
（４）ブザー部に対する電源の供給と遮断とが、第１スイッチ６２ａの係合部にピン７２が挿着されるか否かによって切り替えられ、且つ第１スイッチ６２ａによる電源供給の有効と無効とが、第２スイッチ６２ｂの押下によって切り替えられる。そのため、第１スイッチ６２ａの係合部からピン７２が外れたとしても、第２スイッチ６２ｂの押下によって電源供給が有効化されない限り、ブザー音が発せられることはない。そのため、利用者の意図しないタイミングでブザー音が発せられることを抑えることが可能になる。
【００５９】
（５）一方、第２スイッチ６２ｂの押下により電源供給が有効化された状態であれば、第１スイッチ６２ａの係合部からピン７２が外されるだけで、ブザー音を発せさせることが可能になる。あるいは、第１スイッチ６２ａの係合部からピン７２が外された状態から第２スイッチ６２ｂが押下されるだけで、ブザー音を発せさせることが可能になる。そのため、ブザー音を発生させるための操作が複雑になることを抑えつつ、上記（４）に記載の効果を得ることが可能でもある。
【００６０】
なお、上記実施形態は、これを適宜変更した以下の形態にて実施することができる。
・上記実施形態では、着脱機構の一例として、係合爪２１，６１と被係合溝１７，５６とからなる嵌着機構を説明したが、着脱機構は、螺子式や磁石等、ブザー部を紐止部に対して着脱可能にする機構であればよい。
【００６１】
・上記実施形態では、ブザーユニット２，６が紐止部に対して着脱可能に構成されているが、こうした着脱機構が省略される構成であってもよい。すなわち、防犯ブザーは、ブザーユニット２，６の着脱をブザー音の発生条件及び停止条件として有しない構成であってもよい。例えば、防犯ブザーは、駆動スイッチ２２，６２の状態や第２スイッチ２２ｂ，６２ｂの状態のみをブザー音の発生条件及び停止条件とする構成であってもよい。
【００６２】
・上記第１，３の実施形態では、駆動スイッチ２２，６２の操作のみによってブザー音が発せられる。しかしながら、防犯ブザーは、こうした駆動スイッチ２２，６２の操作に加え、第２，４の実施形態における第２スイッチ２２ｂ，６２ｂの操作が発生条件となる構成であってもよい。
【００６３】
・上記第２，４の実施形態では、第１スイッチ２２ａ，６２ａの操作と第２スイッチ２２ｂ，６２ｂの操作とが発生条件及び停止条件である。しかしながら、第１スイッチ２２ａ，６２ａの操作のみ、あるいは第２スイッチ２２ｂ，６２ｂの操作のみが発生条件及び停止条件となる構成であってもよい。
【００６４】
・上記第２，４の実施形態における第２スイッチ２２ｂ，６２ｂは、第１，３の実施形態における駆動スイッチ２２，６２と同じく、コード３，７の先端部が係合する係合部を有し、該先端部と係合部とが係合しているか否かによってオン状態とオフ状態とを切り替えるスイッチであってもよい。
【００６５】
・上記第２，４の実施形態における防犯ブザーは、第２スイッチ２２ｂ，６２ｂによりブザー部に対する電源の供給と遮断とを切り替え、且つ、第１スイッチ２２ａ，６２ａにより第２スイッチ２２ｂ，６２ｂによる電源供給の有効と無効とを切り替える構成であってもよい。
【００６６】
・上記実施形態の防犯ブザーは、第２スイッチ２２ｂ，６２ｂが押下される度に電源供給の有効と無効とが切り替るが、第２スイッチ２２ｂ，６２ｂが押下される期間のみ、電源供給が有効になる構成であってもよい。
【符号の説明】
【００６７】
１…コードロック、２…ブザーユニット、３…コード、４…コードストッパー、６…ブザーユニット、７…コード、１１…ハウジング、１２…ロック部材、１３…付勢ばね、１４…挿通孔、１５…ロック挿通孔、１６…下端部、１７…被係合溝、１８…ピン、２１…係合爪、２２…駆動スイッチ、２２ａ…第１スイッチ、２２ｂ…第２スイッチ、３１…先端部、３２…ピン、４１…下端部、４２…ハウジング、４３…第１被係合溝、４４…第２被係合溝、５１…コード係止部材、５２…基部、５３…緩衝部、５４…挿入部、５５…第１係合爪、５６…ユニット被係合溝、５７…第２係合爪、５８…係止突起、６１…ユニット係合爪、６２…駆動スイッチ、６２ａ…第１スイッチ、６２ｂ…第２スイッチ、７１…先端部、７２…ピン。
【図１】
2013077199.tif 000003
【図２】
2013077199.tif 000004
【図３】
2013077199.tif 000005
【図４】
2013077199.tif 000006